(57)【要約】【課題】画像表示装置において、大量に蓄積された撮影画像をユーザにとって適切な閲覧数，閲覧内容に簡単に設定して表示させることが可能にする。【解決手段】例えばユーザがある一日にPCショップでPCを購入し、お祭りを見学し、建設中のタワーを観光したのに伴い順次撮影した30枚の画像データP1〜P30から、その撮影順の代表的なテーマ「PC」「祭り」「スカイタワー」毎に、当該各代表テーマ毎の撮影枚数[9枚/15枚/6枚]の割合[3:5:2]に比例したセレクト枚数[4枚/6枚/2枚]でその代表テーマに合致した主要な画像データが表示対象画像として絞り込みされる。そして、4枚に絞り込まれたPC購入に伴う主要な各画像データP1,P2,P5,P6と、6枚に絞り込まれたお祭り見学に伴う主要な各画像データP10,P12,P16,P18,P20,P23と、2枚に絞り込まれたタワー観光に伴う主要な各画像データP26,P29とが順番に表示される。【選択図】      図４Ａ
2012099967.tif 000002
【特許請求の範囲】
【請求項１】
一連の画像を記憶する画像記憶手段と、
この画像記憶手段により記憶された各画像の内容に基づき、当該各画像のテーマを検知する画像テーマ検知手段と、
前記画像記憶手段により記憶された一連の各画像毎に、当該画像よりも後の画像を対象に、前記画像テーマ検知手段により検知された当該画像のテーマに対応する内容の画像を含む画像をリンク画像として検知するリンク画像検知手段と、
このリンク画像検知手段によりリンク画像が検知された画像に対応付けて当該リンク画像を示す情報を登録するリンク情報登録手段と、
画像を表示させる数を設定する表示数設定手段と、
前記リンク情報登録手段によりリンク画像を示す情報が登録された各画像から、前記表示数設定手段により設定された数の画像を表示対象に設定する表示対象設定手段と、
この表示対象設定手段により表示対象に設定された各画像を順次表示させる画像表示手段と、
この画像表示手段により画像が表示された際、ユーザ操作に応じて、前記リンク情報登録手段により当該画像に対応付けられて登録されたリンク画像を示す情報に基づき同リンク画像を表示させるリンク画像表示手段と、
を備えたことを特徴とする画像表示装置。
【請求項２】
前記表示対象設定手段により表示対象に設定された各画像を、ユーザ操作に応じて、前記画像記憶手段により記憶された一連の画像の中の別の画像に変更して設定する表示対象変更手段と、
前記画像記憶手段により記憶された一連の画像、および前記表示対象設定手段により設定された前記一連の画像に対する表示対象の設定情報または前記表示対象変更手段により変更して設定された前記一連の画像に対する表示対象の設定情報を、他の画像表示装置へ送信する画像情報送信手段と、
を備えたことを特徴とする請求項１に記載の画像表示装置。
【請求項３】
他の画像表示装置の前記画像情報送信手段により送信された一連の画像および当該一連の画像に対する表示対象の設定情報を受信する画像情報受信手段と、
この画像情報受信手段により受信された一連の画像および当該一連の画像に対する表示対象の設定情報に基づき、当該表示対象に設定された各画像を順次表示させる受信画像表示手段と、
前記画像情報受信手段により受信された一連の画像に対する表示対象の設定情報を、ユーザ操作に応じて、当該一連の画像の中の別の画像に変更して設定する受信側表示対象変更手段と、
この受信側表示対象変更手段により変更して設定された前記一連の画像に対する表示対象の設定情報を、前記他の画像表示装置へ返信する画像情報返信手段と、
を備えたことを特徴とする請求項２に記載の画像表示装置。
【請求項４】
前記画像情報返信手段により返信された一連の画像に対する表示対象の設定情報に基づき、当該表示対象に設定された各画像を前記画像記憶手段により記憶された一連の画像の中から読み出して順次表示させる返信画像表示手段を備えたことを特徴とする請求項３に記載の画像表示装置。
【請求項５】
表示部とメモリを備えた電子機器のコンピュータを制御するためのプログラムであって、
前記コンピュータを、
一連の画像をメモリに記憶させる画像記憶手段、
この画像記憶手段により記憶された各画像の内容に基づき、当該各画像のテーマを検知する画像テーマ検知手段、
前記画像記憶手段により記憶された一連の各画像毎に、当該画像よりも後の画像を対象に、前記画像テーマ検知手段により検知された当該画像のテーマに対応する内容の画像を含む画像をリンク画像として検知するリンク画像検知手段、
このリンク画像検知手段によりリンク画像が検知された画像に対応付けて当該リンク画像を示す情報をメモリに登録するリンク情報登録手段、
画像を表示させる数を設定する表示数設定手段、
前記リンク情報登録手段によりリンク画像を示す情報が登録された各画像から、前記表示数設定手段により設定された数の画像を表示対象に設定する表示対象設定手段、
この表示対象設定手段により表示対象に設定された各画像を表示部に順次表示させる画像表示手段、
この画像表示手段により画像が表示された際、ユーザ操作に応じて、前記リンク情報登録手段により当該画像に対応付けられて登録されたリンク画像を示す情報に基づき同リンク画像を表示部に表示させるリンク画像表示手段、
として機能させるためのプログラム。
【発明の詳細な説明】
【技術分野】
【０００１】
本発明は、デジタルカメラにより撮影された画像を表示させるための画像表示装置およびその制御プログラム関する。
【背景技術】
【０００２】
小型デジタルカメラが普及し、大容量記録媒体の小型・低価格化、バッテリーの小型・高性能・低価格化により、撮影可能枚数が増加し、気楽に大量の画像が撮影できるようになった。
【０００３】
一方で、デジタルカメラによりスナップ写真を撮っていくと、毎回、例えば１００枚以上もの大量の画像が蓄積される。写真撮影は容易であるが、蓄積された画像の中からユーザが閲覧したい画像を整理したり、不要な画像を処分したりする作業が非常に負担になっている。
【０００４】
大量に撮影され、撮影時間順に記憶された画像に対して、画像の再生順番を表すリンク情報データをユーザの指示により設定し、任意の順番で画像を再生できるようにした画像記録装置が考えられている（例えば、特許文献１参照。）。
【先行技術文献】
【特許文献】
【０００５】
【特許文献１】特開２００７−１３５２２９号公報
【発明の概要】
【発明が解決しようとする課題】
【０００６】
大量に撮影されて記憶された画像の中から、ユーザが閲覧したい画像を選択的に表示させるために、従来の画像記録装置では、撮影順に記憶された各画像を順に表示させながら、当該各画像に対して、ユーザがその順番を任意の順番に変更するリンクを設定する必要があり、依然としてユーザは繁雑な作業を強いられる問題がある。
【０００７】
本発明は、このような課題に鑑みなされたもので、大量に蓄積された撮影画像をユーザにとって適切な閲覧数，閲覧内容に簡単に設定して表示させることが可能になる画像表示装置およびその制御プログラムを提供することを目的とする。
【課題を解決するための手段】
【０００８】
請求項１に記載の画像表示装置は、一連の画像を記憶する画像記憶手段と、この画像記憶手段により記憶された各画像の内容に基づき、当該各画像のテーマを検知する画像テーマ検知手段と、前記画像記憶手段により記憶された一連の各画像毎に、当該画像よりも後の画像を対象に、前記画像テーマ検知手段により検知された当該画像のテーマに対応する内容の画像を含む画像をリンク画像として検知するリンク画像検知手段と、このリンク画像検知手段によりリンク画像が検知された画像に対応付けて当該リンク画像を示す情報を登録するリンク情報登録手段と、画像を表示させる数を設定する表示数設定手段と、前記リンク情報登録手段によりリンク画像を示す情報が登録された各画像から、前記表示数設定手段により設定された数の画像を表示対象に設定する表示対象設定手段と、この表示対象設定手段により表示対象に設定された各画像を順次表示させる画像表示手段と、この画像表示手段により画像が表示された際、ユーザ操作に応じて、前記リンク情報登録手段により当該画像に対応付けられて登録されたリンク画像を示す情報に基づき同リンク画像を表示させるリンク画像表示手段と、を備えたことを特徴としている。
【０００９】
請求項２に記載の画像表示装置は、前記請求項１に記載の画像表示装置において、前記表示対象設定手段により表示対象に設定された各画像を、ユーザ操作に応じて、前記画像記憶手段により記憶された一連の画像の中の別の画像に変更して設定する表示対象変更手段と、前記画像記憶手段により記憶された一連の画像、および前記表示対象設定手段により設定された前記一連の画像に対する表示対象の設定情報または前記表示対象変更手段により変更して設定された前記一連の画像に対する表示対象の設定情報を、他の画像表示装置へ送信する画像情報送信手段と、を備えたことを特徴としている。
【００１０】
請求項３に記載の画像表示装置は、前記請求項２に記載の画像表示装置において、他の画像表示装置の前記画像情報送信手段により送信された一連の画像および当該一連の画像に対する表示対象の設定情報を受信する画像情報受信手段と、この画像情報受信手段により受信された一連の画像および当該一連の画像に対する表示対象の設定情報に基づき、当該表示対象に設定された各画像を順次表示させる受信画像表示手段と、前記画像情報受信手段により受信された一連の画像に対する表示対象の設定情報を、ユーザ操作に応じて、当該一連の画像の中の別の画像に変更して設定する受信側表示対象変更手段と、この受信側表示対象変更手段により変更して設定された前記一連の画像に対する表示対象の設定情報を、前記他の画像表示装置へ返信する画像情報返信手段と、を備えたことを特徴としている。
【００１１】
請求項４に記載の画像表示装置は、前記請求項３に記載の画像表示装置において、前記画像情報返信手段により返信された一連の画像に対する表示対象の設定情報に基づき、当該表示対象に設定された各画像を前記画像記憶手段により記憶された一連の画像の中から読み出して順次表示させる返信画像表示手段を備えたことを特徴としている。
【００１２】
請求項５に記載のプログラムは、表示部とメモリを備えた電子機器のコンピュータを制御するためのプログラムであって、前記コンピュータを、一連の画像をメモリに記憶させる画像記憶手段、この画像記憶手段により記憶された各画像の内容に基づき、当該各画像のテーマを検知する画像テーマ検知手段、前記画像記憶手段により記憶された一連の各画像毎に、当該画像よりも後の画像を対象に、前記画像テーマ検知手段により検知された当該画像のテーマに対応する内容の画像を含む画像をリンク画像として検知するリンク画像検知手段、このリンク画像検知手段によりリンク画像が検知された画像に対応付けて当該リンク画像を示す情報をメモリに登録するリンク情報登録手段、画像を表示させる数を設定する表示数設定手段、前記リンク情報登録手段によりリンク画像を示す情報が登録された各画像から、前記表示数設定手段により設定された数の画像を表示対象に設定する表示対象設定手段、この表示対象設定手段により表示対象に設定された各画像を表示部に順次表示させる画像表示手段、この画像表示手段により画像が表示された際、ユーザ操作に応じて、前記リンク情報登録手段により当該画像に対応付けられて登録されたリンク画像を示す情報に基づき同リンク画像を表示部に表示させるリンク画像表示手段、として機能させることを特徴としている。
【発明の効果】
【００１３】
本発明によれば、大量に蓄積された撮影画像をユーザにとって適切な閲覧数，閲覧内容に簡単に設定して表示させることが可能になる画像表示装置およびその制御プログラムを提供できる。
【図面の簡単な説明】
【００１４】
【図１】本発明の画像表示装置の実施形態に係るデジタルフォトフレーム１０の外観構成を示す図。
【図２】前記デジタルフォトフレーム１０の電子回路の構成を示すブロック図。
【図３】前記デジタルフォトフレーム１０のメモリ２２に記憶されるテーマ画像テーブル２２ｂの具体例を示す図。
【図４Ａ】前記デジタルフォトフレーム１０のメモリ２２に記憶される画像表示制御データ２２ｄの具体例（その１）を示す図。
【図４Ｂ】前記デジタルフォトフレーム１０のメモリ２２に記憶される画像表示制御データ２２ｄの具体例（その２）を示す図。
【図４Ｃ】前記デジタルフォトフレーム１０のメモリ２２に記憶される画像表示制御データ２２ｄの具体例（その３）を示す図。
【図５】前記デジタルフォトフレーム１０による画像セレクト／表示／通信処理を示すフローチャート。
【図６】前記デジタルフォトフレーム１０の画像セレクト／表示／通信処理に伴う画像テーマ／画像リンクデータ作成処理を示すフローチャート。
【図７】前記デジタルフォトフレーム１０の画像セレクト／表示／通信処理に伴う表示対象画像のオートセレクト処理を示すフローチャート。
【図８Ａ】前記デジタルフォトフレーム１０の表示対象画像のオートセレクト処理に従い３０枚の画像データＰ１〜Ｐ３０からオートセレクトされた１２枚の画像データＰ１，Ｐ２，Ｐ５，Ｐ６，Ｐ１０，Ｐ１２，Ｐ１６，Ｐ１８，Ｐ２０，Ｐ２３，Ｐ２６，Ｐ２９の切り替え表示動作（その１）を示す図。
【図８Ｂ】前記デジタルフォトフレーム１０の表示対象画像のオートセレクト処理に従い３０枚の画像データＰ１〜Ｐ３０からオートセレクトされた１２枚の画像データＰ１，Ｐ２，Ｐ５，Ｐ６，Ｐ１０，Ｐ１２，Ｐ１６，Ｐ１８，Ｐ２０，Ｐ２３，Ｐ２６，Ｐ２９の切り替え表示動作（その２）を示す図。
【図８Ｃ】前記デジタルフォトフレーム１０の表示対象画像のオートセレクト処理に従い３０枚の画像データＰ１〜Ｐ３０からオートセレクトされた１２枚の画像データＰ１，Ｐ２，Ｐ５，Ｐ６，Ｐ１０，Ｐ１２，Ｐ１６，Ｐ１８，Ｐ２０，Ｐ２３，Ｐ２６，Ｐ２９の切り替え表示動作（その３）を示す図。
【図９】前記デジタルデジタルフォトフレーム１０の画像セレクト／表示／通信処理に伴う表示対象画像のユーザセレクト処理を示すフローチャート。
【図１０Ａ】前記図８Ａ〜図８Ｃで示したオートセレクト後の表示対象画像のユーザセレクト処理に伴う一連の表示動作（その１）を示す図。
【図１０Ｂ】前記図８Ａ〜図８Ｃで示したオートセレクト後の表示対象画像のユーザセレクト処理に伴う一連の表示動作（その２）を示す図。
【図１０Ｃ】前記図８Ａ〜図８Ｃで示したオートセレクト後の表示対象画像のユーザセレクト処理に伴う一連の表示動作（その３）を示す図。
【図１１Ａ】前記図１０Ａ〜図１０Ｃで示した送信側ユーザによるユーザセレクト後の表示対象画像の受信側ユーザによるユーザセレクト処理に伴う一連の表示動作（その１）を示す図。
【図１１Ｂ】前記図１０Ａ〜図１０Ｃで示した送信側ユーザによるユーザセレクト後の表示対象画像の受信側ユーザによるユーザセレクト処理に伴う一連の表示動作（その２）を示す図。
【図１１Ｃ】前記図１０Ａ〜図１０Ｃで示した送信側ユーザによるユーザセレクト後の表示対象画像の受信側ユーザによるユーザセレクト処理に伴う一連の表示動作（その３）を示す図。
【発明を実施するための形態】
【００１５】
以下図面により本発明の実施の形態について説明する。
【００１６】
図１は、本発明の画像表示装置の実施形態に係るデジタルフォトフレーム１０の外観構成を示す図である。
【００１７】
このデジタルフォトフレーム１０は、そのフレーム内の正面中央に、例えば７インチのタッチパネル式表示部１１を備える。
【００１８】
このタッチパネル式表示部１１は、高精細カラー液晶表示画面１１ｄの上に透明タッチパネル１１ｔを重ねて構成され、表示画面１１ｄに表示された画像上でのユーザのタッチ操作に応じた指定位置は、透明タッチパネル１１ｔにより検出される。
【００１９】
一方、デジタルフォトフレーム１０の裏面には、電源のＯＮ／ＯＦＦ、動作メニューの表示、表示された項目の選択、選択された項目内容の実行等を指示するためのキー入力部１２、フレーム本体を設置面に支持するための支持脚１３が設けられる。
【００２０】
なお、このデジタルフォトフレーム１０は、前記キー入力部１２と同様のキー入力機能を有するリモコン１２Ｒも備えている。
【００２１】
また、デジタルフォトフレーム１０の側面には、デジタルカメラにより撮影された画像など、多数の画像データを記憶させた図示しないメモリ・カード（外部記録媒体２３）から当該画像データを読み取るための記録媒体読み取り部２４のカードスロット、外部のＰＣ(personal computer)３１と接続して通信するための通信部２５のＵＳＢ端子、外部のデジタルカメラ３２と接続して撮影画像データを入力するための画像入力部２６のＵＳＢ端子が設けられる。
【００２２】
図２は、前記デジタルフォトフレーム１０の電子回路の構成を示すブロック図である。
【００２３】
このデジタルフォトフレーム１０は、コンピュータであるＣＰＵ(Central Processing Unit)２１を備えている。
【００２４】
このＣＰＵ２１には、前記タッチパネル式表示部１１、キー入力部１２（１２Ｒ）、記録媒体読み取り部２４、通信部２５、画像入力部２６の他に、メモリ２２が接続される。
【００２５】
前記ＣＰＵ２１は、前記メモリ２２に予め記憶された画像セレクト／表示／通信処理プログラム２２ａ、あるいはＣＤ−ＲＯＭ、メモリ・カードなどの外部記録媒体２３からメモリ２２に読み込まれたプログラム２２ａ、あるいは通信ネットワーク上のプログラムサーバからダウンロードされてメモリ２２に読み込まれたプログラム２２ａに従い回路各部の動作を制御する。
【００２６】
前記メモリ２２には、テーマ画像テーブル２２ｂ、画像フォルダ２２ｃ、画像表示制御データ２２ｄ、メール情報／通信情報２２ｅの各記憶領域が確保される。
【００２７】
図３は、前記デジタルフォトフレーム１０のメモリ２２に記憶されるテーマ画像テーブル２２ｂの具体例を示す図である。
【００２８】
このテーマ画像テーブル２２ｂには、多種多様な被写体を撮影した多数のサンプル画像が、当該各画像の内容（被写体）に応じたテーマ名毎に分類されて記憶される。
【００２９】
画像フォルダ２２ｃには、前記メモリ・カードなどの外部記録媒体２３から記録媒体読み取り部２４を介して読み込まれた画像データ、外部ＰＣ３１から通信部２５を介して読み込まれた画像データ、デジタルカメラ３２から画像入力部２６を介して読み込まれた画像データが、例えば撮影日別のフォルダに分類されその撮影時間順に記憶される。
【００３０】
図４Ａは、前記デジタルフォトフレーム１０のメモリ２２に記憶される画像表示制御データ２２ｄの具体例（その１）を示す図である。
【００３１】
図４Ｂは、前記デジタルフォトフレーム１０のメモリ２２に記憶される画像表示制御データ２２ｄの具体例（その２）を示す図である。
【００３２】
図４Ｃは、前記デジタルフォトフレーム１０のメモリ２２に記憶される画像表示制御データ２２ｄの具体例（その３）を示す図である。
【００３３】
画像表示制御データ２２ｄの記憶領域は、画像テーマデータ・リンクデータ２２ｄ１の設定領域と表示対象画像データ２２ｄ２の設定領域とからなる。
【００３４】
画像テーマデータ・リンクデータ２２ｄ１の設定領域には、前記画像フォルダ２２ｃ内の指定の撮影日のフォルダに撮影時間順に記憶されている各画像データＰ１〜Ｐｎに対して、当該画像の内容を示す第１候補のテーマ名［テーマ名１］、第２候補のテーマ名［テーマ名２］、当該画像の前後近傍一連の各画像のテーマ名に基づき最も多いテーマ名として判定された［代表テーマ］、この代表テーマに前記第１または第２候補のテーマ名が一致する場合は“丸コード”、不一致の場合は“ばつコード”に設定される［テーマ該当情報］、当該画像よりも後に該画像のテーマに相当する画像部分と類似の画像部分を有する画像（リンク画像）が検知された場合に、前記画像部分の位置情報（左上座標ｘ１，ｙ１／右下座標ｘ２，ｙ２）に前記検知された画像の番号Ｐｎが対応付けられる第１，第２の［リンク画像情報］が、それぞれ記憶される。
【００３５】
なお、この図４Ａ〜図４Ｃで示す［リンク画像情報］は、リンク元である画像データの画像部分の位置情報（左上座標ｘ１，ｙ１／右下座標ｘ２，ｙ２）に対して、類似検知された画像データ（リンク画像）の番号Ｐｎを付加した状態をイメージで示している。
【００３６】
また、表示対象画像データ２２ｄ２の設定領域には、前記各画像データＰ１〜Ｐｎの画像テーマデータ・リンクデータ２２ｄ１の設定情報に対応付けて、当該画像が表示対象であることを示す情報“黒丸コード”、または表示候補であることを示す情報“丸コード”、または表示次候補であることを示す情報“三角コード”、または非表示であることを示す情報“ばつコード”が、当該画像のセレクトレベルとして、初期のオートセレクト処理、画像送信前のユーザセレクト処理、画像送信先でのユーザセレクト処理の各段階にて設定されて記憶される。
【００３７】
メール情報／通信情報２２ｅとしては、本デジタルフォトフレーム１０のユーザ情報である画像送信元のユーザニックネームおよびメールアドレスが記憶され、また、画像送信先のユーザニックネームおよびメールアドレスが記憶される。
【００３８】
なお、このデジタルフォトフレーム１０において、ＣＰＵ２１が、メモリ２２に記憶される画像セレクト／表示／通信処理プログラム２２ａに従い回路各部の動作を制御し、ハードウエアとソフトウエアが協働することにより実行される機能としては、少なくとも次の９つの機能(1)〜(9)が含まれる。
【００３９】
(1) 画像フォルダ２２ｃから読み出された指定のフォルダ内の撮影順に並べられた各画像毎に、テーマ画像テーブル２２ｂ（図３参照）に記憶されている各画像と比較し、類似度の最も高い画像のテーマ名を第１候補のテーマ名［テーマ名１］、類似度の次に高い画像のテーマ名を第２候補のテーマ名［テーマ名２］として前記画像表示制御データ２２ｄ（図４Ａ〜図４Ｃ参照）に登録する機能。
【００４０】
(2) 前記(1)の機能の実行に伴い登録された各画像のテーマ名に基づき、撮影順に多いテーマ名を判定して所定数（例えば３グループ）の画像範囲に区切り、各画像範囲に最多のテーマ名をその範囲内画像の［代表テーマ］として前記画像表示制御データ２２ｄ（図４Ａ〜図４Ｃ参照）に設定する機能。
【００４１】
(3) 前記(1)の機能の実行に伴い登録されたテーマ名が、前記(2)の機能の実行に伴い設定された［代表テーマ］と一致する画像には“丸コード”、不一致の画像には“ばつコード”のテーマ該当情報を、前記画像表示制御データ２２ｄ（図４Ａ〜図４Ｃ参照）に設定する機能。
【００４２】
(4) 前記指定のフォルダ内の撮影順に並べられた各画像毎に、当該画像よりも後方の画像を対象に、当該画像のテーマ名の判断基準となった画像部分と類似の画像部分を有する画像（リンク画像）を検知し、当該画像の画像部分の位置情報に前記検知された画像の番号を対応付けた［リンク画像情報］を、前記画像表示制御データ２２ｄ（図４Ａ〜図４Ｃ参照）に登録する機能。
【００４３】
(5) ユーザ入力された任意の画像セレクト数から、前記指定のフォルダ内の全画像数に対する各代表テーマ毎の画像数の割合に比例させて、当該各代表テーマ毎の画像セレクト数を決定する機能。
【００４４】
(6) 前記(3)の機能の実行に伴い画像表示制御データ２２ｄに設定されたテーマ該当情報が“丸コード”である各画像（登録テーマ名が［代表テーマ］と一致する画像）の中から、前記(4)の機能の実行に伴い［リンク画像情報］が登録された画像（リンク元画像）を優先とし、前記(5)の機能の実行に伴い決定された各代表テーマ毎の画像セレクト数の画像を表示対象画像として自動セレクトする機能。
【００４５】
(7) 前記(6)の機能の実行に伴い自動セレクトされた各代表テーマ毎の表示対象画像を順次切り替え表示させる機能。
【００４６】
(8) 前記(7)の機能の実行に伴い自動セレクトされた表示対象画像を表示させる際に、前記(4)の機能の実行に伴い［リンク画像情報］が登録された画像（リンク元画像）については、当該［リンク画像情報］に基づきリンク画像があることを表記する機能。
【００４７】
(9) 前記(8)の機能の実行に伴いリンク画像があることが表記された画像の表示状態において、ユーザ操作に応じて、当該表示中の画像の［リンク画像情報］に基づきリンク画像を表示させる機能。
【００４８】
次に、前記構成のデジタルフォトフレーム１０の動作について説明する。
【００４９】
図５は、前記デジタルフォトフレーム１０による画像セレクト／表示／通信処理を示すフローチャートである。
【００５０】
キー入力部１２またはリモコン１２Ｒのユーザ操作に応じてタッチパネル式表示部１１に表示された動作メニューから、表示対象画像を自動選択する処理項目が指定されると（ステップＳ１，Ｓ２（Ｙｅｓ））、画像フォルダ２２ｃに例えば撮影日別に記憶されているフォルダが一覧表示される（ステップＳ３）。
【００５１】
この画像フォルダの一覧表示状態において、ユーザ任意の撮影日のフォルダが処理対象に指定されると、図６における画像テーマ／画像リンクデータ作成処理に移行される（ステップＳＡ）。
【００５２】
（画像テーマ／画像リンクデータ作成機能）
図６は、前記デジタルフォトフレーム１０の画像セレクト／表示／通信処理に伴う画像テーマ／画像リンクデータ作成処理を示すフローチャートである。
【００５３】
この画像テーマ／画像リンクデータ作成処理では、先ず、ユーザ任意に指定された画像フォルダに記憶されている各画像データが読み出され、その日時情報に基づき撮影順にソートされる（ステップＡ１）。
【００５４】
ここで、前記ユーザ任意に指定された画像フォルダから読み出され撮影日順にソートされた各画像データを、仮に前記図４Ａ〜図４Ｃで示した３０枚の画像データＰ１〜Ｐ３０とする。
【００５５】
この３０枚の画像データＰ１〜Ｐ３０は、ユーザがある一日にＰＣショップでＰＣを購入し、お祭りを見学し、建設中のタワーを観光したのに伴い順次撮影したものである。
【００５６】
すると、前記撮影順にソートされた各画像データＰ１〜Ｐ３０毎に、テーマ画像テーブル２２ｂ（図３参照）に記憶されている各画像データと比較されて、類似する画像データの内容に対応するテーマ名が複数検知され、最も類似度の高い画像データのテーマ名［１］と次に類似度の高い画像データのテーマ名［２］とが、図４Ａ〜図４Ｃに示すように、画像表示制御データ２２ｄにおける画像テーマデータ・リンクデータ２２ｄ１の記憶領域に登録される（ステップＡ２）。
【００５７】
こうして、前記各画像データＰ１〜Ｐ３０に応じた第１候補のテーマ名［１］と第２候補のテーマ名［２］とが登録されると、その先頭の画像データＰ１から順に同じテーマ名の数がカウントされ、所定のテーマ分け数（例えば３つ）に応じて最も多いテーマ名「祭り」と次に多いテーマ名「ＰＣ」とその次に多いテーマ名「スカイタワー」が選択され、それぞれ代表テーマとして設定される（ステップＡ３）。
【００５８】
すると、設定された３つの代表テーマ「祭り」「ＰＣ」「スカイタワー」と同じテーマ名として登録されている各画像データの範囲に基づき、一連の画像データＰ１〜Ｐ３０が、その撮影順に、代表テーマ「ＰＣ」の画像範囲Ｐ１〜Ｐ９、代表テーマ「祭り」の画像範囲Ｐ１０〜Ｐ２４、代表テーマ「スカイタワー」の画像範囲Ｐ２５〜Ｐ３０に区切られる（ステップＡ４）。
【００５９】
そして、前記各画像データＰ１〜Ｐ３０毎に、前記登録されたテーマ名が前記設定された［代表テーマ］と一致する画像データには“丸コード”、不一致の画像データには“ばつコード”のテーマ該当情報が対応付けられて、画像表示制御データ２２ｄにおける画像テーマデータ・リンクデータ２２ｄ１の記憶領域に記憶される（ステップＡ５）。
【００６０】
こうして、指定の画像フォルダから読み出された撮影順の一連の画像データＰ１〜Ｐ３０について、先頭から撮影画像の代表テーマとその画像範囲が判断されて画像テーマデータ・リンクデータ２２ｄ１の記憶領域に記憶されると、先ず、先頭の画像デーＰ１がリンクデータ作成対象の画像（リンク元画像）として指定される（ステップＡ６）。
【００６１】
すると、指定された画像データＰ１の登録テーマ名［１］「ショップ」の判断基準となった画像部分（テーマ画像テーブル２２ｂにおけるテーマ名「ショップ」の画像データと類似判断された画像部分）について、当該画像データＰ１より後方の各画像データＰ２〜Ｐ３０から類似の画像を有する画像データが検知される（ステップＡ７）。
【００６２】
ここで、前記画像データＰ１の登録テーマ名［１］「ショップ」に対応する画像部分と類似の画像部分を有する画像データＰ４が検知されたと判断されると（ステップＡ８（Ｙｅｓ））、当該検知された画像データＰ４の番号“４”が、前記画像データＰ１（リンク元画像）の画像部分の位置情報（左上座標ｘ１，ｙ１／右下座標ｘ２，ｙ２）と対応付けられて、リンク画像情報［１］として登録される（ステップＡ９）。
【００６３】
すると、次の画像データＰ２がリンクデータ作成対象の画像（リンク元画像）として指定され（ステップＡ１０（Ｙｅｓ）→Ａ１１）、前記同様の処理に従い、登録テーマ名［１］「ＰＣ」に対応する画像部分と類似の画像部分を有する画像データＰ５が検知される。そして、当該検知された画像データＰ５の番号“５”が、前記画像データＰ２（リンク元画像）の画像部分の位置情報（左上座標ｘ１，ｙ１／右下座標ｘ２，ｙ２）と対応付けられて、リンク画像情報［１］として登録される（ステップＡ７〜Ａ９）。
【００６４】
この後、前記ステップＡ７〜Ａ１１の処理が同様に繰り返され、各画像データＰ１〜Ｐ３０毎に、当該画像データをリンク元画像とする類似の画像部分を有する画像データ（リンク画像）が検知され、それぞれのリンク画像情報が登録される。
【００６５】
なお、図４Ａの画像テーマデータ・リンクデータ２２ｄ１における画像データＰ５に対するリンク画像情報［１］［２］で示すように、複数のリンク画像Ｐ６，Ｐ７が検知された場合はそのそれぞれのリンク画像情報が登録される。
【００６６】
こうして、前記一連の画像テーマ／画像リンクデータ作成処理に従い、ユーザ指定の画像フォルダの各画像データＰ１〜Ｐ３０について、画像テーマデータ・リンクデータ２２ｄ１が生成されて記憶されると、図７におる表示対象画像のオートセレクト処理へ移行される（ステップＳＢ）。
【００６７】
（表示対象画像のオートセレクト機能）
図７は、前記デジタルフォトフレーム１０の画像セレクト／表示／通信処理に伴う表示対象画像のオートセレクト処理を示すフローチャートである。
【００６８】
この表示対象画像のオートセレクト処理では、先ず、タッチパネル式表示部１１に対してセレクト数入力画面（図示せず）が表示され、前記ユーザ指定の画像フォルダに記憶された各画像データＰ１〜Ｐ３０のうち何枚の画像を表示対象としてセレクトするかのユーザ入力が促される（ステップＢ１）。
【００６９】
なお、このセレクト数入力画面には、セレクト数“１２”がデフォルトで入力されて表示される。本実施形態の動作説明では、セレクト数“１２”で確定操作した場合について説明する。
【００７０】
セレクト数“１２”が入力されると、前記画像テーマデータ／リンクデータ２２ｄ１を生成した各画像データＰ１〜Ｐ３０の先頭の画像データＰ１が表示すべきか否かの評価対象に指定され（ステップＢ２）、そのテーマ該当情報が代表テーマに該当しない“ばつコード”であるか否か判断される（ステップＢ３）。
【００７１】
ここで、前記評価対象に指定された先頭の画像データＰ１のテーマ該当情報は“ばつコード”ではなく“丸コード”であり、代表テーマに該当する画像であると判断されると（ステップＢ３（Ｎｏ））、当該画像データＰ１はリンク元画像であるか否か、つまり、リンク画像情報の登録があるか否か判断される（ステップＢ４）。
【００７２】
前記画像データＰ１には、画像データＰ４をリンク画像とするリンク画像情報［１］の登録があり、リンク元画像であると判断されると（ステップＢ４（Ｙｅｓ））、当該画像データＰ１に対応するところの表示対象画像データ２２ｄ２の当初セレクトレベル（オートセレクト）の設定領域に、当該画像データＰ１が表示候補であることを示す情報“丸コード”が記憶される（ステップＢ５）。
【００７３】
すると、次の画像データＰ２が評価対象に指定され（ステップＢ８（Ｙｅｓ）→Ｂ９）、前記ステップＢ３からの処理に戻る。
【００７４】
この画像データＰ２の場合も、前記先頭の画像データＰ１の場合と同様に、そのテーマ該当情報は“丸コード”であり、リンク元画像であると判断されるので（ステップＢ３（Ｎｏ）→Ｂ４（Ｙｅｓ））、当該画像データＰ２に対応するところの表示対象画像データ２２ｄ２の当初セレクトレベル（オートセレクト）の設定領域に、当該画像データＰ２が表示候補であることを示す情報“丸コード”が記憶される（ステップＢ５）。
【００７５】
この後、前記同様の処理が繰り返され、ステップＢ９において、画像データＰ４が評価対象に指定された場合に、そのテーマ該当情報が“丸コード”であると判断されても（ステップＢ３（Ｎｏ））、リンク画像情報の登録がなくリンク元画像ではないと判断されると（ステップＢ４（Ｎｏ））、当該画像データＰ４に対応するところの表示対象画像データ２２ｄ２の当初セレクトレベル（オートセレクト）の設定領域に、当該画像データＰ４が表示次候補であることを示す情報“三角コード”が記憶される（ステップＢ６）。
【００７６】
さらにこの後、前記同様の処理が繰り返され、ステップＢ９において、画像データＰ７が評価対象に指定された場合に、そのテーマ該当情報が代表テーマに該当しない“ばつコード”であると判断されると、（ステップＢ３（Ｙｅｓ））、当該画像データＰ７に対応するところの表示対象画像データ２２ｄ２の当初セレクトレベル（オートセレクト）の設定領域に、当該画像データＰ７が非表示であることを示す情報“ばつコード”が記憶される（ステップＢ７）。
【００７７】
この後、前記ステップＢ３〜Ｂ９での処理が同様に繰り返され、前記各画像データＰ１〜Ｐ３０の全てに対応するところの表示対象画像データ２２ｄ２の当初セレクトレベル（オートセレクト）の設定領域に、当該画像Ｐｎが表示候補であることを示す情報“丸コード”、または表示次候補であることを示す情報“三角コード”、または非表示であることを示す情報“ばつコード”の何れかが記憶されると、次に評価対象とする画像はないと判断される（ステップＢ８（Ｎｏ））。
【００７８】
すると、各代表テーマ毎に当該代表テーマが同じである範囲の画像枚数がカウントされ、具体的には、代表テーマ「ＰＣ」の画像枚数“９”、「祭り」の画像枚数“１５”、「スカイタワー」の画像枚数“６”としてカウントされる（ステップＢ１０）。
【００７９】
そして、前記各代表テーマ毎の画像枚数（「ＰＣ」“９”：「祭り」“１５”：「スカイタワー」“６”）の割合（３：５：２）に比例して、前記ステップＢ１にて任意入力されたセレクト数“１２”が分割され、当該各代表テーマ毎の表示対象画像のセレクト枚数（「ＰＣ」“４”：「祭り」“６”：「スカイタワー」“２”）が決定される（ステップＢ１１）。
【００８０】
すると、前記表示対象画像データ２２ｄ２の当初セレクトレベル（オートセレクト）の設定領域に、表示候補であることを示す情報“丸コード”が記憶されたところの画像データＰ１，Ｐ２，Ｐ３，Ｐ５，Ｐ６，Ｐ１０，Ｐ１２，Ｐ１６，Ｐ１８，Ｐ２０，Ｐ２３，Ｐ２６，Ｐ２９を最優先、表示次候補であることを示す情報“三角コード”が記憶されたところの画像データＰ４，Ｐ９，Ｐ１１，Ｐ１３，Ｐ１７，Ｐ１９，Ｐ２８，Ｐ３０を次優先とし、前記決定された各代表テーマ毎の表示対象画像のセレクト枚数（「ＰＣ」“４”：「祭り」“６”：「スカイタワー」“２”）に合わせて、当該各代表テーマ毎の表示対象画像がセレクトされる。そして、表示対象画像にセレクトされた画像データＰ１，Ｐ２，Ｐ５，Ｐ６，Ｐ１０，Ｐ１２，Ｐ１６，Ｐ１８，Ｐ２０，Ｐ２３，Ｐ２６，Ｐ２９に対応するところの当初セレクトレベル（オートセレクト）の設定領域に記憶された表示候補（あるいは表示次候補）の情報“丸コード”（あるいは“三角コード”）が、表示対象画像であることを示す情報“黒丸コード”（あるいは“黒三角コード”）に書き替えられる（ステップＢ１２）。
【００８１】
なおこの際、前記決定された各代表テーマ毎の表示対象画像のセレクト枚数に対して、当該各代表テーマ毎の表示候補の情報“丸コード”を有する画像データＰｎの数、あるいは表示候補の情報“丸コード”に表示次候補の情報“三角コード”を加えた画像データＰｎの数が多い場合には、前記決定されたセレクト枚数の表示対象画像はランダムに分散されてセレクトされる。
【００８２】
こうして、各代表テーマ毎にユーザ任意のセレクト枚数に従った表示対象画像がオートセレクトされ、当該オートセレクトされた各画像データＰ１，Ｐ２，Ｐ５，Ｐ６，Ｐ１０，Ｐ１２，Ｐ１６，Ｐ１８，Ｐ２０，Ｐ２３，Ｐ２６，Ｐ２９に対応付けられて同画像が表示対象画像であることを示す情報“黒丸コード”（あるいは“黒三角コード”）が付加されると、この表示対象画像であることを示す情報“黒丸コード”（あるいは“黒三角コード”）に基づいて、当該各画像データが順番にタッチパネル式表示部１１に例えば５〜１０秒間隔で切り替えられて表示される（ステップＳ４）。
【００８３】
図８Ａは、前記デジタルフォトフレーム１０の表示対象画像のオートセレクト処理に従い３０枚の画像データＰ１〜Ｐ３０からオートセレクトされた１２枚の画像データＰ１，Ｐ２，Ｐ５，Ｐ６，Ｐ１０，Ｐ１２，Ｐ１６，Ｐ１８，Ｐ２０，Ｐ２３，Ｐ２６，Ｐ２９の切り替え表示動作（その１）を示す図である。
【００８４】
図８Ｂは、前記デジタルフォトフレーム１０の表示対象画像のオートセレクト処理に従い３０枚の画像データＰ１〜Ｐ３０からオートセレクトされた１２枚の画像データＰ１，Ｐ２，Ｐ５，Ｐ６，Ｐ１０，Ｐ１２，Ｐ１６，Ｐ１８，Ｐ２０，Ｐ２３，Ｐ２６，Ｐ２９の切り替え表示動作（その２）を示す図である。
【００８５】
図８Ｃは、前記デジタルフォトフレーム１０の表示対象画像のオートセレクト処理に従い３０枚の画像データＰ１〜Ｐ３０からオートセレクトされた１２枚の画像データＰ１，Ｐ２，Ｐ５，Ｐ６，Ｐ１０，Ｐ１２，Ｐ１６，Ｐ１８，Ｐ２０，Ｐ２３，Ｐ２６，Ｐ２９の切り替え表示動作（その３）を示す図である。
【００８６】
これによれば、ユーザがある一日にＰＣショップでＰＣを購入し、お祭りを見学し、建設中のタワーを観光したのに伴い順次撮影した３０枚の画像データＰ１〜Ｐ３０から、その撮影順の代表的なテーマ「ＰＣ」「祭り」「スカイタワー」毎に、当該各代表テーマ毎の撮影枚数［９枚／１５枚／６枚］の割合［３：５：２］に比例したセレクト枚数［４枚／６枚／２枚］でその代表テーマに合致した主要な画像データが表示対象画像として絞り込みされる。
【００８７】
そして、図８Ａ（１）〜（４）に示すように、４枚に絞り込まれたＰＣ購入に伴う主要な各画像データＰ１，Ｐ２，Ｐ５，Ｐ６と、図８Ｂ（５）〜図８Ｃ（１０）に示すように、６枚に絞り込まれたお祭り見学に伴う主要な各画像データＰ１０，Ｐ１２，Ｐ１６，Ｐ１８，Ｐ２０，Ｐ２３と、図８Ｃ（１１）（１２）に示すように、２枚に絞り込まれたタワー観光に伴う主要な各画像データＰ２６，Ｐ２９とが順番に表示されるようになる。
【００８８】
よって、前記デジタルフォトフレーム１０の画像テーマ／画像リンクデータ作成機能、および表示対象画像のオートセレクト機能によれば、大量に蓄積された撮影画像をユーザにとって適切な閲覧数，閲覧内容に簡単に設定して表示させることが可能になる。
【００８９】
このようにオートセレクトされた表示対象画像が、図８Ａ〜図８Ｃで示したように順次表示された後に、ユーザ操作に応じて、表示対象画像のユーザ自身による選択機能が指定されると（ステップＳ５（Ｙｅｓ））、当該順次表示されたオートセレクト直後の画像フォルダ内の各画像データＰ１〜Ｐ３０について、図９における表示対象画像のユーザセレクト処理へ移行される（ステップＳＣ）。
【００９０】
また、ユーザ操作に応じて、表示対象画像のユーザ自身による選択機能が指定されると共に（ステップＳ１，Ｓ６（Ｙｅｓ））、任意の画像フォルダが指定されると（ステップＳ７）、当該指定された画像フォルダ内の各画像データについて、図９における表示対象画像のユーザセレクト処理へ移行される（ステップＳＣ）。
【００９１】
（表示対象画像のユーザセレクト機能）
図９は、前記デジタルデジタルフォトフレーム１０の画像セレクト／表示／通信処理に伴う表示対象画像のユーザセレクト処理を示すフローチャートである。
【００９２】
ここでは、前記図８Ａ〜図８Ｃで示したようにオートセレクトされた画像フォルダ内の各画像データＰ１〜Ｐ３０について、図９における表示対象画像のユーザセレクト処理へ移行した場合について説明する。
【００９３】
図１０Ａは、前記図８Ａ〜図８Ｃで示したオートセレクト後の表示対象画像のユーザセレクト処理に伴う一連の表示動作（その１）を示す図である。
【００９４】
図１０Ｂは、前記図８Ａ〜図８Ｃで示したオートセレクト後の表示対象画像のユーザセレクト処理に伴う一連の表示動作（その２）を示す図である。
【００９５】
図１０Ｃは、前記図８Ａ〜図８Ｃで示したオートセレクト後の表示対象画像のユーザセレクト処理に伴う一連の表示動作（その３）を示す図である。
【００９６】
この表示対象画像のユーザセレクト処理では、先ず、画像表示制御データ２２ｄの表示対象画像データ２２ｄ２に登録されている最新版のセレクトレベル（この場合は、当初セレクトレベル（オートセレクト））に基づき、表示対象画像であることを示す情報“黒丸コード”が登録されている先頭のセレクト画像（ＰＣショップの画像データＰ１）が指定される（ステップＣ１）。
【００９７】
すると、図１０Ａ（１）に示すように、前記指定されたＰＣショップの画像データＰ１がタッチパネル式表示部１１に表示されると共に、当該画像データＰ１のリンク画像情報［１］（ＰＣショップのリンク画像Ｐ４）に従い、そのリンク画像部分にリンクマーク［４］が表示される（ステップＣ２）。この際、現在表示中の画像データＰｎの直前に一連の画像データＰｍが表示されていた場合は、当該直前の画像データＰｍの表示に戻すための［戻る］アイコンＲｅ（図１０Ａ（２）参照）が表示される。
【００９８】
そして、現在表示中の画像データＰ１に対応するところの表示対象画像データ２２ｄ２の送信セレクトレベル（ユーザセレクト）の設定領域に、表示対象画像であることを示す情報“黒丸コード”が書き込まれる（ステップＣ３）。
【００９９】
ここで、前記オートセレクトされた元の表示対象画像データ２２ｄ２である当初セレクトレベル（オートセレクト）において、現在表示中の画像データＰｎ（この場合はＰ１）の次の表示対象画像であることを示す情報“黒丸コード”が記憶された画像データＰｍ（この場合はＰ２）がある場合は、当該表示中の画像データＰｎ（Ｐ１）の下に［進む］アイコンＴｏが表示される（ステップＣ４）。
【０１００】
さらに、現在表示中の画像データＰｎに対して、撮影順の前画像Ｐｎ−１がある場合には［←］アイコンＬが表示され、同撮影順の次画像Ｐｎ＋１がある場合には［→］アイコンＲが表示される（ステップＣ５）。
【０１０１】
すると、ユーザ操作を検知する待機状態となり（ステップＣ６）、［本画像スキップ］アイコンＳｋが指定されたか（ステップＣ７）、［←］アイコンＬまたは［→］アイコンＲが指定されたか（ステップＣ８）、［進む］アイコンＴｏが指定されたか（ステップＣ９）、リンクマーク［ｎ］が指定されたか（ステップＣ１０）、［戻る］アイコンＲｅが指定されたか（ステップＣ１１）、処理終了が指示されたか（ステップＣ１２）の何れかが判断される。
【０１０２】
前記図１０Ａ（１）で示したオートセレクト後の先頭の表示対象画像であるＰＣショップの画像データＰ１が表示された状態で、［進む］アイコンＴｏが指定されたと判断されると（ステップＣ６，Ｃ９（Ｙｅｓ））、前記表示対象画像データ２２ｄ２の当初セレクトレベル（オートセレクト）にて当該表示中の画像データＰ１の次の表示対象画像“黒丸コード”であるノートＰＣの画像データＰ２がセレクト画像に設定される（ステップＣ９ａ）。
【０１０３】
すると、図１０Ａ（２）に示すように、前記セレクト画像に設定されたノートＰＣの画像データＰ２がタッチパネル式表示部１１に表示されると共に、当該画像データＰ２のリンク画像情報［１］（ノートＰＣのリンク画像Ｐ５）に従い、そのリンク画像部分にリンクマーク［５］が表示される。また、［戻る］アイコンＲｅが表示される（ステップＣ２）。
【０１０４】
そして、表示されたノートＰＣの画像データＰ２に対応するところの表示対象画像データ２２ｄ２の送信セレクトレベル（ユーザセレクト）の設定領域に、表示対象画像であることを示す情報“黒丸コード”が書き込まれる（ステップＣ３）。
【０１０５】
さらに、前記画像データＰ２が表示された画面には、［進む］アイコンＴｏ、［←］アイコンＬ、［→］アイコンＲ、［本画像スキップ］アイコンＳｋも表示される（ステップＣ４，Ｃ５）。
【０１０６】
前記図１０Ａ（２）で示したオートセレクト後の２番目の表示対象画像であるノートＰＣの画像データＰ２が表示された状態で、そのリンク画像部分に表示されたリンクマーク［５］が指定されると（ステップＣ６，Ｃ１０（Ｙｅｓ））、当該画像データＰ２のリンク画像情報［１］に従い、そのリンク画像であるノートＰＣの画像データＰ５がセレクト画像に設定される（ステップＣ１０ａ）。
【０１０７】
すると、図１０Ａ（３）に示すように、前記セレクト画像に設定されたリンク画像であるノートＰＣの画像データＰ５がタッチパネル式表示部１１に表示されると共に、当該画像データＰ５のリンク画像情報［１］［２］（ＰＣ画面のリンク画像Ｐ６／紙レシートのリンク画像Ｐ７）に従い、そのリンク画像部分にリンクマーク［６］［７］が表示される。また、［戻る］アイコンＲｅが表示される（ステップＣ２）。
【０１０８】
そして、表示されたノートＰＣの画像データＰ５に対応するところの表示対象画像データ２２ｄ２の送信セレクトレベル（ユーザセレクト）の設定領域に、表示対象画像であることを示す情報“黒丸コード”が書き込まれる（ステップＣ３）。
【０１０９】
さらに、前記画像データＰ５が表示された画面には、前記同様に［進む］アイコンＴｏ、［←］アイコンＬ、［→］アイコンＲ、［本画像スキップ］アイコンＳｋも表示される（ステップＣ４，Ｃ５）。
【０１１０】
前記図１０Ａ（３）で示したノートＰＣのリンク画像である画像データＰ５が表示された状態で、その一方のリンク画像部分に表示されたリンクマーク［６］が指定されると（ステップＣ６，Ｃ１０（Ｙｅｓ））、当該画像データＰ５のリンク画像情報［１］に従い、そのリンク画像であるＰＣ画面の画像データＰ６がセレクト画像に設定される（ステップＣ１０ａ）。
【０１１１】
すると、図１０Ａ（４）に示すように、前記セレクト画像に設定されたリンク画像であるＰＣ画面の画像データＰ６がタッチパネル式表示部１１に表示されると共に、［戻る］アイコンＲｅが表示される（ステップＣ２）。
【０１１２】
そして、表示されたＰＣ画面の画像データＰ６に対応するところの表示対象画像データ２２ｄ２の送信セレクトレベル（ユーザセレクト）の設定領域に、表示対象画像であることを示す情報“黒丸コード”が書き込まれる（ステップＣ３）。
【０１１３】
さらに、前記画像データＰ６が表示された画面には、前記同様に［進む］アイコンＴｏ、［←］アイコンＬ、［→］アイコンＲ、［本画像スキップ］アイコンＳｋも表示される（ステップＣ４，Ｃ５）。
【０１１４】
ここで、[戻る]アイコンＲｅが指定されることで（ステップＣ１１（Ｙｅｓ））、前記図１０Ａ（３）で示したノートＰＣの画像データＰ５が再びセレクト画像に設定され（ステップＣ１１ａ）、当該画像データＰ５が前記同様に表示された状態で（ステップＣ２〜Ｃ５）、そのもう一方のリンク画像部分に表示されたリンクマーク［７］が指定されると（ステップＣ２〜Ｃ６，Ｃ１０（Ｙｅｓ））、当該画像データＰ５のリンク画像情報［２］に従い、そのリンク画像である紙レシートの画像データＰ７がセレクト画像に設定される（ステップＣ１０ａ）。
【０１１５】
すると、図１０Ｂ（５）に示すように、前記セレクト画像に設定されたリンク画像である紙レシートの画像データＰ７がタッチパネル式表示部１１に表示されると共に、［戻る］アイコンＲｅが表示される（ステップＣ２）。
【０１１６】
そして、表示された紙レシートの画像データＰ７に対応するところの表示対象画像データ２２ｄ２の送信セレクトレベル（ユーザセレクト）の設定領域に、表示対象画像であることを示す情報“黒丸コード”が書き込まれる（ステップＣ３）。
【０１１７】
さらに、前記画像データＰ７が表示された画面には、前記同様に［←］アイコンＬ、［→］アイコンＲ、［本画像スキップ］アイコンＳｋも表示される（ステップＣ４，Ｃ５）。
【０１１８】
ここで、［→］アイコンＲが指定されると（ステップＣ６，Ｃ８（Ｙｅｓ））、撮影順の次の画像データＰ８がセレクト画像に設定され（ステップＣ８ａ）、前記同様に当該画像データＰ８および各アイコンＲｅ，Ｌ，Ｒ，Ｓｋが表示されると共に、表示対象画像データ２２ｄ２の送信セレクトレベル（ユーザセレクト）の設定領域に、表示対象画像であることを示す情報“黒丸コード”が書き込まれる（ステップＣ２〜Ｃ５）。
【０１１９】
そして、前記表示中の画像データＰ８と共に表示された［本画像スキップ］アイコンＳｋが指定されると（ステップＣ６，Ｃ７（Ｙｅｓ））、前記表示対象画像データ２２ｄ２の送信セレクトレベル（ユーザセレクト）の設定領域に、当該画像データＰ８に対応して一端書き込まれた表示対象画像であることを示す情報“黒丸コード”は、非表示を示す情報“ばつコード”に書き替えられる（ステップＣ７ａ）。
【０１２０】
この後、前記同様に前記画像データＰ８の表示画面における［→］アイコンＲの指定により撮影順の次の画像データＰ９が表示されると共に（ステップＣ６，Ｃ８（Ｙｅｓ），Ｃ８ａ，Ｃ２〜Ｃ５）、［本画像スキップ］アイコンＳｋの指定により、当該画像データＰ９に対応した前記表示対象画像データ２２ｄ２の送信セレクトレベル（ユーザセレクト）の設定領域にも非表示を示す情報“ばつコード”が書き込まれる（ステップＣ６，Ｃ７（Ｙｅｓ），Ｃ７ａ）。
【０１２１】
さらに、前記画像データＰ９の表示画面における［→］アイコンＲの指定により、撮影順に次のみこし／祭の画像データＰ１０がセレクト画像に設定されると（ステップＣ６，Ｃ８（Ｙｅｓ），Ｃ８ａ）、図１０Ｂ（６）に示すように、当該画像データＰ１０およびリンクマーク［１８］および各アイコンＲｅ，Ｔｏ，Ｌ，Ｒ，Ｓｋが表示されると共に、表示対象画像データ２２ｄ２の送信セレクトレベル（ユーザセレクト）の設定領域に、表示対象画像であることを示す情報“黒丸コード”が書き込まれる（ステップＣ２〜Ｃ５）。
【０１２２】
前記みこし／祭りの画像データＰ１０が表示された状態で、そのリンク画像部分に表示されたリンクマーク［１８］が指定されると（ステップＣ６，Ｃ１０（Ｙｅｓ））、当該画像データＰ１０のリンク画像情報［１］に従い、そのリンク画像であるみこし／祭りの画像データＰ１８がセレクト画像に設定される（ステップＣ１０ａ）。
【０１２３】
すると、図１０Ｂ（７）に示すように、前記セレクト画像に設定されたリンク画像であるみこし／祭の画像データＰ１８がタッチパネル式表示部１１に表示されると共に、当該画像データＰ１８のリンク画像情報［１］（みこし／ちょうちんのリンク画像Ｐ２４）に従い、そのリンク画像部分にリンクマーク［２４］が表示される。また、［戻る］アイコンＲｅが表示される（ステップＣ２）。
【０１２４】
そして、表示されたみこし／祭の画像データＰ１８に対応するところの表示対象画像データ２２ｄ２の送信セレクトレベル（ユーザセレクト）の設定領域に、表示対象画像であることを示す情報“黒丸コード”が書き込まれる（ステップＣ３）。
【０１２５】
さらに、前記画像データＰ１８が表示された画面には、前記同様に［進む］アイコンＴｏ、［←］アイコンＬ、［→］アイコンＲ、［本画像スキップ］アイコンＳｋも表示される（ステップＣ４，Ｃ５）。
【０１２６】
この後、前記同様に、セレクト画像に設定された画像データＰｎと共に表示される［進む］アイコンＴｏ、［←］アイコンＬ、［→］アイコンＲ、［本画像スキップ］アイコンＳｋを選択的に指定操作することで、これまでに表示対象画像として設定された各画像データＰ１，Ｐ２，Ｐ５，Ｐ６，Ｐ７，Ｐ１０，Ｐ１８に続けて、例えば図１０Ｂ（８）→図１０Ｃ（９）〜（１２）に示すように、さらに、ユーザ好みの各画像データＰ２４，Ｐ２５，Ｐ２６，Ｐ２９，Ｐ３０が順次表示対象画像として追加設定される。
【０１２７】
そして、終了の操作がなされると（ステップＣ１２（Ｙｅｓ））、表示対象画像データ２２ｄ２の送信セレクトレベル（ユーザセレクト）として、前記指定の画像フォルダの各画像データＰ１〜Ｐ３０に対応付けられて書き込まれた表示対象画像か否かを示す情報（黒丸コード／コード無し）が、本デジタルフォトフレーム１０のユーザ名に対応付けられて登録される。
【０１２８】
これによれば、前記表示対象画像のオートセレクト機能によりユーザの撮影テーマに応じて表示対象画像に絞り込みされた主要な各画像データを基にして、そのリンク画像データや前記オートセレクト処理の際には表示対象画像に設定されなった別の画像データを任意に選択し、ユーザ独自に絞り込んだ閲覧内容の表示対象画像データ２２ｄ２を容易に生成することができる。
【０１２９】
（表示対象画像フォルダの送信機能）
表示対象画像のオートセレクト機能（図７、図８Ａ〜図８Ｃ参照）やユーザセレクト機能（図９、図１０Ａ〜図１０Ｃ参照）によって絞り込まれた閲覧内容の表示対象画像データ２２ｄ２に従った各画像データを知人に見せたい場合に、ユーザ操作に応じてタッチパネル式表示部１１に表示させた動作メニューから、表示対象画像フォルダを送信する処理項目が指定されると（ステップＳ８（Ｙｅｓ））、画像フォルダ２２ｃに記憶されているフォルダが一覧表示される（ステップＳ９）。
【０１３０】
この画像フォルダの一覧表示状態において、ユーザ任意のフォルダが送信対象に指定されると、送信相手へのメッセージ入力画面が表示される（ステップＳ１０）。
【０１３１】
この送信相手へのメッセージ入力画面において、キー入力部１２（１２Ｒ）のユーザ操作に従い、例えば前記ステップＳ９にて指定されたフォルダの画像に関して紹介するメッセージが入力され確定されると、当該入力された送信相手へのメッセージに対して、前記指定の画像フォルダと、同画像フォルダ内の各画像データに対応して登録された最新セレクトレベルの表示対象画像データ２２ｄ２とが添付され、メール情報／通信情報２２ｅの記憶領域に登録されている送信相手のメールアドレスを送信先として送信される（ステップＳ１１）。
【０１３２】
なお、前記送信相手へのメッセージを入力することなく、指定の画像フォルダと、同画像フォルダ内の各画像データに対応して登録された最新セレクトレベルの表示対象画像データ２２ｄ２とだけを送信してもよい。
【０１３３】
（表示対象画像フォルダの受信・閲覧・返信機能）
例えば知人のデジタルフォトフレーム１０の前記表示対象画像フォルダの送信機能に従い送信された画像フォルダが受信された場合に（ステップＳ１２（Ｙｅｓ））、当該受信された画像フォルダが指定されると（ステップＳ１３）、指定された画像フォルダと共に受信されたメッセージが表示される（ステップＳ１４）。
【０１３４】
すると、前記指定された画像フォルダと共に受信された当該画像フォルダ内の各画像データに対応した最新セレクトレベルの表示対象画像データ２２ｄ２（本実施形態では、送信セレクトレベル（ユーザセレクト））に従い、表示対象画像であることを示す情報“黒丸コード”が書き込まれているところの各画像データＰ１，Ｐ２，Ｐ５，Ｐ６，Ｐ７，Ｐ１０，Ｐ１８，Ｐ２４，Ｐ２５，Ｐ２６，Ｐ２９，Ｐ３０（図１０Ａ〜図１０Ｃ参照）が順番に、タッチパネル式表示部１１に例えば５〜１０秒間隔で切り替えられて表示される（ステップＳ１５）。
【０１３５】
これにより、知人により撮影された多数の画像データがそのまま受信されて単に順番に表示されるのではなく、その撮影テーマに応じてオートセレクト処理あるいはユーザセレクト処理されて絞り込まれた適切な枚数の各画像データが受信され順次表示されるようになる。
【０１３６】
この後、前記知人から受信されて表示された画像フォルダ内の表示対象画像である各画像データについて、当該受信側ユーザの好みに合わせて選択し直したい場合に、表示対象画像のユーザ自身による選択機能が指定されると（ステップＳ１６）、前記図９における表示対象画像のユーザセレクト処理へ移行される（ステップＳＣ）。
【０１３７】
なお、この受信側ユーザによる表示対象画像のユーザセレクト処理については、前述した送信側ユーザによるユーザセレクト処理と同様であるため、その詳細な説明は省略する。
【０１３８】
図１１Ａは、前記図１０Ａ〜図１０Ｃで示した送信側ユーザによるユーザセレクト後の表示対象画像の受信側ユーザによるユーザセレクト処理に伴う一連の表示動作（その１）を示す図である。
【０１３９】
図１１Ｂは、前記図１０Ａ〜図１０Ｃで示した送信側ユーザによるユーザセレクト後の表示対象画像の受信側ユーザによるユーザセレクト処理に伴う一連の表示動作（その２）を示す図である。
【０１４０】
図１１Ｃは、前記図１０Ａ〜図１０Ｃで示した送信側ユーザによるユーザセレクト後の表示対象画像の受信側ユーザによるユーザセレクト処理に伴う一連の表示動作（その３）を示す図である。
【０１４１】
この受信側ユーザによるユーザセレクト処理によれば、前記図９および図１０Ａ〜図１０Ｃを参照して説明した場合と同様に、送信側ユーザのユーザセレクト機能により絞り込みされた主要な各画像データを基にして、そのリンク画像データや表示対象画像に設定されていなかった別の画像データを任意に選択し、受信側ユーザ独自に絞り込んだ閲覧内容の表示対象画像データ２２ｄ２を容易に生成することができる。
【０１４２】
具体的には、選択し直しの対象となる画像フォルダ内に記憶された各画像データＰ１〜Ｐ３０のうち、図１１Ａ〜図１１Ｃに示すように、テーマ「ＰＣ」に関しては３枚の各画像データＰ１，Ｐ３，Ｐ９、テーマ「祭」に関しては９枚の各画像データＰ１０，Ｐ１１，Ｐ１２，Ｐ１３，Ｐ１４，Ｐ１５，Ｐ２２，Ｐ２３，Ｐ２４について、表示対象画像であることを示す情報“黒丸コード”が書き込まれた表示対象画像データ２２ｄ２（図４Ａ〜図４Ｃ参照）が生成される。
【０１４３】
この後、前記受信側ユーザにより選択し直された表示対象画像データ２２ｄ２について、前記送信側ユーザのデジタルフォトフレーム１０へ返信したい場合に、タッチパネル式表示部１１に表示された動作メニューから「返信」の処理項目が指定されると（ステップＳ１７（Ｙｅｓ））、返信相手へのメッセージ入力画面が表示される（ステップＳ１８）。
【０１４４】
この返信相手へのメッセージ入力画面において、キー入力部１２（１２Ｒ）のユーザ操作に従い、例えば、さらに選択し直されたフォルダの画像に関して紹介するメッセージが入力され確定されると、当該入力された返信相手へのメッセージに対して、前記ユーザセレクト処理された最新の表示対象画像データ２２ｄ２が添付され、メール情報／通信情報２２ｅの記憶領域に登録されている返信相手のメールアドレスを送信先として送信される（ステップＳ１９）。
【０１４５】
これにより、前記返信メールを受信した前記送信側ユーザのデジタルフォトフレーム１０では、受信側ユーザによってさらに選択し直された表示対象画像データ２２ｄ２が受信されて受信セレクトレベル（ユーザセレクト）（図４Ａ〜図４Ｃ参照）として登録され、これに従い画像フォルダ内の表示対象画像（“黒丸コード”）である各画像データＰ１０，Ｐ１１，Ｐ１２，Ｐ１３，Ｐ１４，Ｐ１５，Ｐ２２，Ｐ２３，Ｐ２４が順次切り替え表示されるようになる。
【０１４６】
したがって、前記構成のデジタルフォトフレーム１０によれば、ユーザによりある幾つかのテーマを以て順次撮影した大量の画像データを対象に、各テーマ毎の主要な画像データを、各テーマ間の撮影画像枚数の割合に比例させて少なく絞り込んだ枚数でオートセレクトして表示させることができる。
【０１４７】
そればかりでなく、オートセレクトされた各画像データを基に、そのリンク画像や非セレクト画像をユーザ操作に応じて任意にセレクトし直し（ユーザセレクト）、当該ユーザセレクトされた内容の各画像データを表示させることもできる。
【０１４８】
さらに、前記オートセレクトされた各画像データやユーザセレクトされた各画像データは、ユーザ所望の通信相手にメッセージと共に送信して表示させることができる。
【０１４９】
しかも、通信相手から受信されたオートセレクトされた各画像データやユーザセレクトされた各画像データのセレクト内容は、当該受信側のユーザ操作に応じたユーザセレクト処理により変更して返信することもできる。
【０１５０】
このため、大量に蓄積された撮影画像をユーザにとって適切な閲覧数，閲覧内容に簡単に設定して表示させることができるだけでなく、友人．知人等のデジタルフォトフレーム１０…間で、一連の画像データの中から互いに興味のあったテーマの画像データを選択し直して表示させあい、画像閲覧によるコミュニケーションを図ることができる。
【０１５１】
なお、前記実施形態では、オートセレクト処理やユーザセレクト処理の対象となる一連の画像データの枚数を３０枚とし、セレクト枚数を１２枚とする具体例について説明したが、実際には１００枚の画像データなど、より多くの一連の画像データを対象にセレクト処理することになるのは勿論である。
【０１５２】
前記実施形態において記載したデジタルフォトフレーム１０による各処理の手法、すなわち、図５のフローチャートに示す画像セレクト／表示／通信処理、図６のフローチャートに示す前記画像セレクト／表示／通信処理に伴う画像テーマ／画像リンクデータ作成処理、図７のフローチャートに示す前記画像セレクト／表示／通信処理に伴う表示対象画像のオートセレクト処理、図９のフローチャートに示す前記画像セレクト／表示／通信処理に伴う表示対象画像のユーザセレクト処理などの各手法は、何れもコンピュータに実行させることができるプログラムとして、メモリ・カード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記録媒体２３に格納して配布することができる。そして、表示画面（１１）を備えた電子機器のコンピュータは、この外部記録媒体２３に記憶されたプログラムを記憶装置（２２）に読み込み、この読み込んだプログラムによって動作が制御されることにより、前記実施形態において説明した一連の撮影画像データのテーマ判定機能、画像リンク機能、オートセレクト機能、ユーザセレクト機能、セレクト画像送受信機能を実現し、前述した手法による同様の処理を実行することができる。
【０１５３】
また、前記各手法を実現するためのプログラムのデータは、プログラムコードの形態としてネットワーク（インターネット等）上を伝送させることができ、このプログラムデータを、ネットワークに接続された表示画面（１１）を有する電子機器のコンピュータに通信制御部（２５）を介して取り込むことで、前述した一連の撮影画像データのテーマ判定機能、画像リンク機能、オートセレクト機能、ユーザセレクト機能、セレクト画像送受信機能を実現することもできる。
【０１５４】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【符号の説明】
【０１５５】
１０  …デジタルフォトフレーム
１１  …タッチパネル式表示部
１１ｄ…高精細カラー液晶表示画面
１１ｔ…透明タッチパネル
１２  …キー入力部
１２Ｒ…リモコン
１３  …支持脚
２１  …ＣＰＵ(central processing unit)
２２  …メモリ
２２ａ…画像セレクト／表示／通信処理プログラム
２２ｂ…テーマ画像テーブル
２２ｃ…画像フォルダ
２２ｄ…画像表示制御データ
２２ｄ１…画像テーマデータ・リンクデータ
２２ｄ２…表示対象画像データ
２２ｅ…メール情報／通信情報
２３  …外部記録媒体
２４  …記録媒体読み取り部
２５  …通信部
２６  …画像入力部
３１  …ＰＣ(personal computer)
３２  …デジタルカメラ
【図１】
2012099967.tif 000003
【図２】
2012099967.tif 000004
【図３】
2012099967.tif 000005
【図４Ａ】
2012099967.tif 000006
【図４Ｂ】
2012099967.tif 000007
【図４Ｃ】
2012099967.tif 000008
【図５】
2012099967.tif 000009
【図６】
2012099967.tif 000010
【図７】
2012099967.tif 000011
【図８Ａ】
2012099967.tif 000012
【図８Ｂ】
2012099967.tif 000013
【図８Ｃ】
2012099967.tif 000014
【図９】
2012099967.tif 000015
【図１０Ａ】
2012099967.tif 000016
【図１０Ｂ】
2012099967.tif 000017
【図１０Ｃ】
2012099967.tif 000018
【図１１Ａ】
2012099967.tif 000019
【図１１Ｂ】
2012099967.tif 000020
【図１１Ｃ】
2012099967.tif 000021